【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
複数の電極を母体・胎児モニタとインタフェースするためのインタフェースシステムであって、該母体・胎児モニタは、ポートを有し、該ポートは、陣痛計、子宮内圧カテーテル、または胎児頭皮電極のうちの少なくとも１つと動作可能に接続し、陣痛計、子宮内圧カテーテル、または胎児頭皮電極のうちの少なくとも１つからの出力を受信し、かつ陣痛計、子宮内圧カテーテル、または胎児頭皮電極のうちの少なくとも１つからの出力を表示するように構成され、該インタフェースシステムは、
母体腹部に取り付けるように構成されたセンサアレイであって、該センサアレイは、複数の電極を備え、該複数の電極の各々は、生理学的信号を検出するように構成されている、センサアレイと、
第一のコンポーネントであって、該第一のコンポーネントは、
該センサアレイに動作可能かつ取り外し可能に接続し、該複数の電極から該生理学的信号を受信するように構成された電極インタフェースと、
該電極インタフェースから該生理学的信号を受信し、該第一のコンポーネントから離れて位置するワイヤレス信号受信機に該受信された生理学的信号をワイヤレス送信するように構成されたワイヤレス信号送信機と
を備える、第一のコンポーネントと、
第二のコンポーネントであって、該第二のコンポーネントは、
該ワイヤレス信号送信機によって送信された該生理学的信号を受信するように構成された該ワイヤレス信号受信機と、
該ワイヤレス信号受信機から該生理学的信号を受信し、該陣痛計、該子宮内圧カテーテル、または該胎児頭皮電極のうちの少なくとも１つからの電気出力を模倣する出力データへと該生理学的信号を処理するように構成された信号変換器と、
該母体・胎児モニタの該ポートに動作可能かつ取り外し可能に接続するように構成された母体・胎児モニタポートインタフェースであって、該母体・胎児モニタポートインタフェースは、該信号変換器から該出力データを受信し、該母体・胎児モニタポートインタフェースが該母体・胎児モニタの該ポートに接続されると該出力データを該母体・胎児モニタに通信するように構成されている、母体・胎児モニタポートインタフェースと
を備える、第二のコンポーネントと
を備える、インタフェースシステム。
【請求項２】
前記センサアレイは、カーブしたアームを含み、電極が該カーブしたアームの遠位領域に位置している、請求項１に記載のインタフェースシステム。
【請求項３】
前記センサアレイは、複数のカーブしたアームを含み、各々、該カーブしたアームの遠位領域に位置している電極を有する、請求項２に記載のインタフェースシステム。
【請求項４】
前記センサアレイは、曲がりくねる形状を有する部分を含み、該曲がりくねる形状は、該センサアレイが前記母体腹部の形状に適合することを可能にするように構成されている、請求項１に記載のインタフェースシステム。
【請求項５】
前記センサアレイは、曲がりくねる形状を有する複数の部分を含む、請求項４に記載のインタフェースシステム。
【請求項６】
前記センサアレイは、２〜８個の電極を備える、請求項１に記載のインタフェースシステム。
【請求項７】
前記センサアレイは、ディスポーザブルであり、前記第一のコンポーネントおよび前記第二のコンポーネントは、両方、再使用可能である、請求項１に記載のインタフェースシステム。
【請求項８】
前記センサアレイは、メッシュから形成されている、請求項１に記載のインタフェースシステム。
【請求項９】
前記センサアレイは、アライメントテンプレートをさらに備える、請求項１に記載のインタフェースシステム。
【請求項１０】
前記アライメントテンプレートは、前記センサアレイに取り外し可能に結合されている、請求項１に記載のインタフェースシステム。
【請求項１１】
前記複数の電極は、心電図信号、脳波図信号、筋電図信号、電気眼振図信号、電気眼位図、または網膜電図信号のうちの少なくとも１つを検出するように構成された電極を含む、請求項１に記載のインタフェースシステム。
【請求項１２】
前記第一のコンポーネントは、アナログ・デジタル変換器をさらに備え、
該アナログ・デジタル変換器は、前記生理学的信号をアナログ信号として受信し、該アナログ生理学的信号をデジタル生理学的信号に変換するように構成され、
前記ワイヤレス信号送信機は、該デジタル生理学的信号をワイヤレス送信するようにさらに構成され、
前記ワイヤレス信号受信機は、該デジタル生理学的信号を受信するようにさらに構成され、
前記信号変換器は、該デジタル生理学的信号を前記出力データへと処理するようにさらに構成されている、
請求項１に記載のインタフェースシステム。
【請求項１３】
前記信号変換器は、前記出力を生成するように前記デジタル生理学的信号のデジタル・アナログ変換を行うようにさらに構成されている、請求項１２に記載のインタフェースシステム。
【請求項１４】
前記信号変換器は、マイクロプロセッサを備える、請求項１に記載のインタフェースシステム。
【請求項１５】
前記ワイヤレス信号送信機は、アナログ生理学的信号を送信するようにさらに構成されている、請求項１に記載のインタフェースシステム。
【請求項１６】
前記信号変換器は、アナログ・デジタル変換器とプログラマブル装置とを備え、該アナログ・デジタル変換器は、前記ワイヤレス信号受信機から前記アナログ生理学的信号を受信し、該アナログ生理学的信号をデジタル生理学的信号に変換するように構成され、該プログラマブル装置は、該デジタル生理学的信号を処理して、前記陣痛計、前記子宮内圧カテーテル、または前記胎児頭皮電極のうちの少なくとも１つからの前記電気出力を模倣するための電圧レベルを決定するように構成されている、請求項１５に記載のインタフェースシステム。
【請求項１７】
前記信号変換器は、デジタル・アナログ変換器をさらに備え、該デジタル・アナログ変換器は、前記電圧レベルを受信し、該電圧レベルをアナログ生理学的信号に変換するように構成されている、請求項１６に記載のインタフェースシステム。
【請求項１８】
前記信号変換器は、前記出力データを記憶するように構成されたメモリをさらに備え、該信号変換器は、前記母体・胎児モニタポートインタフェースを介して、該メモリに記憶された該出力データを前記母体・胎児モニタに非連続的に送信するようにさらに構成されている、請求項１に記載のインタフェースシステム。
【請求項１９】
前記複数の電極は、音響信号を検出するように構成された電極を含む、請求項１に記載のインタフェースシステム。
【請求項２０】
前記複数の電極は、心電図信号を検出するように構成された電極をさらに含む、請求項１９に記載のインタフェースシステム。
【手続補正２】
【補正対象書類名】明細書
【補正対象項目名】００２８
【補正方法】変更
【補正の内容】
【００２８】
本発明の他の特徴および利点は以下の詳細な説明および添付図面から明らかになるであろう。
本発明は、例えば、以下を提供する。
（項目１）
ワイヤレス通信路を介して情報を送信するための通信プロトコルを有するワイヤレス送信機と、
該ワイヤレス送信機から情報を受信しかつ送信するように構成されているワイヤレス受信機と、
信号を生成する少なくとも二つのセンサを含む、母体腹部のために設計されたセンサアレイと、
陣痛計、子宮内圧カテーテル（IUPC）、胎児頭皮電極（FSE）、および超音波モニタからなる群より選択されるプローブによって通常は提供される電気出力データフォーマットを模倣する電気出力データへと、センサ信号を処理する信号変換器と、
母体・胎児モニタに操作可能かつ物理的に接続するための母体・胎児モニタポートインタフェースであって、該信号変換器から処理された電気出力データを受信したのちに該電気出力データを該母体・胎児モニタに送信する、母体・胎児モニタポートインタフェースと
を含む、ワイヤレスインタフェースシステム。
（項目２）
センサアレイが、各センサへの少なくとも一つのカーブした電気接続を含み、各カーブした電気接続が、該センサアレイが母体腹部の形状に適合するように構成されている、項目1に記載のワイヤレスインタフェースシステム。
（項目３）
センサアレイの各カーブした電気接続が、ひずみ解放と対象間変動とを許容する曲がりくねるパターンを含む、項目2に記載のワイヤレスインタフェースシステム。
（項目４）
ワイヤレス送信機がセンサアレイに操作可能に接続されて、センサ信号を受信し、かつ該センサ信号に関する情報をワイヤレス受信機に送信することができ、
該ワイヤレス受信機が信号変換器に操作可能に接続され、かつ電気出力データへと処理されるように該ワイヤレス送信機からの情報を該信号変換器に送信し、
該信号変換器が母体・胎児モニタポートインタフェースに操作可能に接続され、
該ワイヤレス受信機と該信号変換器と該母体・胎児モニタポートインタフェースとが単一のコンポーネントとして一緒に提供される、
項目1に記載のワイヤレスインタフェースシステム。
（項目５）
ワイヤレス送信機がセンサアレイに操作可能に接続され、かつ該ワイヤレス送信機と該センサアレイとが単一のコンポーネントとして一緒に提供される、項目4に記載のワイヤレスインタフェースシステム。
（項目６）
信号変換器がセンサアレイに操作可能に接続され、
ワイヤレス送信機が、該信号変換器に操作可能に接続され、かつ該信号変換器から電気出力データを受信し、かつ該電気出力データに関する情報をワイヤレス受信機に送信し、
該ワイヤレス受信機が母体・胎児モニタポートインタフェースに操作可能に接続され、
該ワイヤレス送信機と該信号変換器と該センサアレイとが単一のコンポーネントとして一緒に提供され、
該ワイヤレス受信機と該母体・胎児モニタポートインタフェースとが単一のコンポーネントとして一緒に提供される、
項目1に記載のワイヤレスインタフェースシステム。
（項目７）
センサ信号がアナログ信号であり、かつワイヤレスインタフェースシステムが、アナログセンサ信号をデジタルセンサ信号へと変換するアナログ・デジタル信号変換器をさらに含む、項目1に記載のワイヤレスインタフェースシステム。
（項目８）
アナログ・デジタル信号変換器がセンサアレイに操作可能に接続され、
ワイヤレス送信機が該アナログ・デジタル信号変換器に操作可能に接続されて、デジタルセンサ信号を受信し、かつ該デジタルセンサ信号に関する情報をワイヤレス受信機に送信し、
該信号変換器が母体・胎児モニタポートインタフェースに操作可能に接続され、
該ワイヤレス受信機が該信号変換器に操作可能に接続され、
該ワイヤレス送信機と該アナログ・デジタル信号変換器とが単一のコンポーネントとして一緒に提供され、
該ワイヤレス受信機と該信号変換器と該母体・胎児モニタポートインタフェースとが単一のコンポーネントとして一緒に提供される、
項目7に記載のワイヤレスインタフェースシステム。
（項目９）
ワイヤレス送信機がセンサアレイに操作可能に接続されて、アナログセンサ信号に関する情報を受信し、かつ該情報をワイヤレス受信機に送信し、
アナログ・デジタル変換器が信号変換器に操作可能に接続され、
該信号変換器が母体・胎児モニタポートインタフェースに操作可能に接続され、
該ワイヤレス受信機が、該アナログ・デジタル変換器に操作可能に接続され、かつデジタルセンサ信号へと処理されるように該ワイヤレス送信機からの該アナログセンサ信号に関する情報を該アナログ・デジタル変換器に送信し、
該ワイヤレス送信機と該センサアレイとが単一のコンポーネントとして一緒に提供され、
該ワイヤレス受信機と該信号変換器と該母体・胎児モニタポートインタフェースとが単一のコンポーネントとして一緒に提供される、
項目7に記載のワイヤレスインタフェースシステム。
（項目１０）
センサアレイが、少なくとも一つのセンサに接続されたアライメントテンプレートをさらに含む、項目1に記載のワイヤレスインタフェースシステム。
（項目１１）
アライメントテンプレートが取り外し可能である、項目10に記載のワイヤレスインタフェースシステム。
（項目１２）
パワーアダプタをさらに含む、項目1に記載のワイヤレスインタフェースシステム。
（項目１３）
母体・胎児モニタポートインタフェースが、子宮内圧カテーテル−母体・胎児ポートインタフェース、胎児頭皮電極−母体・胎児ポートインタフェース、および陣痛計−母体・胎児ポートインタフェースからなる群より選択されるポートインタフェースに相当する、項目1に記載のワイヤレスインタフェースシステム。
（項目１４）
センサが電気センサおよび／または音響センサである、項目1に記載のワイヤレスインタフェースシステム。
（項目１５）
電気センサが、プリント回路電極、ディスポーザブル電極、再使用可能なディスク電極、ヘッドバンド、および塩水ベースの電極からなる群より選択される電極である、項目14に記載のワイヤレスインタフェースシステム。
（項目１６）
電極が、心電図（ECG/EKG）、脳波図（EEG）、筋電図（EMG）、電気眼振図（ENG）、電気眼位図（EOG）、および網膜電図（ERG）からなる群より選択される電気的活動をモニタするために使用されるタイプである、項目15に記載のワイヤレスインタフェースシステム。
（項目１７）
ワイヤレス送信機が内部電源を含む、項目1に記載のワイヤレスインタフェースシステム。
（項目１８）
センサ信号をフィルタリングするためのフィルタをさらに含む、項目1に記載のワイヤレスインタフェースシステム。
（項目１９）
フィルタが、高域フィルタ、低域フィルタ、複数の信号通信路、アナログフィルタ、およびデジタルフィルタからなる群より選択されるフィルタのいずれか一つまたは組み合わせである、項目18に記載のワイヤレスインタフェースシステム。
（項目２０）
センサアレイを妊娠中の母体の腹部に取り付け、かつ母体・胎児モニタポートインタフェースを母体・胎児モニタに取り付けることによって、項目1に記載のワイヤレスインタフェースシステムを使用する工程、および
該母体・胎児モニタを使用して電気出力データを分析することによって分娩の進行を分析する工程
を含む、分娩の進行をモニタする方法。
（項目２１）
電気出力データの分析が、
EHGデータ、分娩中および分娩後の子宮収縮、子宮弛緩、子宮内圧、ならびにモンテビデオ単位からなる群より選択される、母体・胎児モニタによるデータのいずれか一つまたは組み合わせ
を生成する、項目20に記載の方法。
（項目２２）
少なくとも一つの音響センサに操作可能に接続されかつ少なくとも一つのセンサ信号を受信するセンサインタフェースである、第一のコンポーネントと、
該センサインタフェースに接続されている信号変換器である第二のコンポーネントであって、該信号変換器が、該センサインタフェースから該少なくとも一つのセンサ信号を受信し、かつ同該センサ信号を、陣痛計または子宮内圧カテーテルからの電気出力を模倣する電気出力データへと処理する、第二のコンポーネントと、
母体・胎児モニタに操作可能かつ物理的に接続するための母体・胎児モニタポートインタフェースである第三のコンポーネントであって、該母体・胎児モニタポートインタフェースが、該信号変換器に接続し、かつ該電気出力データを受信したのち該母体・胎児モニタに送信する、第三のコンポーネントと
を含む、インタフェースシステム。
（項目２３）
第一、第二、および第三のコンポーネントが統合されてケーブル中に一体構造を形成する、項目22に記載のインタフェースシステム。
（項目２４）
ワイヤレス送信機およびワイヤレス受信機をさらに含む、項目22に記載のインタフェースシステム。
（項目２５）
ワイヤレス送信機およびワイヤレス受信機が、Bluetooth（登録商標）、Wi-Fi、Zigbie、およびワイヤレスUSBからなる群より選択される通信プロトコルを使用する、項目24に記載のインタフェースシステム。
（項目２６）
ワイヤレス送信機が内部電源を含む、項目24に記載のインタフェースシステム。
（項目２７）
少なくとも一つのセンサが、胎児心拍数に関するデータを送信する、項目22に記載のインタフェースシステム。
（項目２８）
パワーアダプタをさらに含む、項目22に記載のインタフェースシステム。
（項目２９）
母体・胎児モニタポートインタフェースが、子宮内圧カテーテル−母体・胎児ポートインタフェース、胎児頭皮電極−母体・胎児ポートインタフェース、および陣痛計−母体・胎児ポートインタフェースからなる群より選択されるポートインタフェースに相当する、項目22に記載のインタフェースシステム。
（項目３０）
センサインタフェースが少なくとも一つの電極センサにも接続する、項目22に記載のインタフェースケーブル。
（項目３１）
LED回路を含む信号変換器と母体・胎児ポートとを光学的に結合する方法であって、
該LED回路に光学的に結合されたフォトレジスタを含む光学的に分離された平衡ブリッジ回路を含む、母体・胎児ポートのための光学インタフェースを提供する工程と、
電圧・電流変換装置によって該LED回路を駆動する工程であって、それによって該LED回路を通過する電流を変調させ、かつ母体・胎児ポート入力信号を生成する、工程と、
該母体・胎児ポート入力信号を該母体・胎児ポートに提供する工程と
を含む、方法。
（項目３２）
LEDを駆動する工程が、パルス幅変調デジタル・アナログ変換器および電圧・電流変換装置によってLED回路を駆動することを含む、項目31に記載の方法。
（項目３３）
母体・胎児ポート入力信号が、陣痛計、子宮内圧カテーテル、胎児頭皮電極、および／または超音波装置からの電気出力を模倣する、項目31に記載の方法。
（項目３４）
母体・胎児ポート入力信号が陣痛計からの電気出力を模倣する、項目31に記載の方法。
（項目３５）
母体・胎児ポート入力信号が胎児ECG信号を模倣する、項目31に記載の方法。